(57)【要約】  情報処理装置（１００）は、通信網（２００）がファーストドーマンシー（Fast Dormancy）機能に対応しているか否かを示す情報（以下、通信網情報と記載）を予め記憶している。そして情報処理装置（１００）は、情報サーバ（２２０）の間でのパケット通信を終了するとき、通信網（２００）の通信網情報を読み出し、読み出した通信網情報に基づいて、通信チャネルの開放手順を定める。そして情報処理装置（１００）は、定めた開放手順に従って、通信チャネルを開放する。
2012132165.tif 000002
【特許請求の範囲】
【請求項１】
パケット通信を行う通信網がファーストドーマンシー機能に対応しているか否かを示す通信網情報を記憶する通信網情報記憶手段と、
前記通信網を介したパケット通信を終了するとき、前記通信網情報記憶手段から前記通信網情報を読み出し、前記通信網情報に基づいて、通信チャネルの開放手順を定める開放手順設定手段と、
前記開放手順設定手段が設定した手順に従って通信チャネルを開放する制御手段と、
を備える通信装置。
【請求項２】
請求項１に記載の通信装置において、
前記通信網に対してファーストドーマンシーの起動要求を送信し、当該起動要求に対する前記通信網からの応答に基づいて、前記通信網情報を生成する通信網情報生成手段を備える通信装置。
【請求項３】
請求項２に記載の通信装置において、
前記通信網情報生成手段は、前記起動要求を複数回送信し、そのいずれの場合においても前記起動要求に対する応答が前記通信網から無かった場合に、前記通信網がファーストドーマンシー機能に対応していないと判断する通信装置。
【請求項４】
請求項１〜３のいずれか一項に記載の通信装置において、
前記開放手順設定手段は、
前記通信網情報が、前記通信網がファーストドーマンシー機能に対応していることを示す場合はファーストドーマンシー機能に従って開放手順を定め、
前記通信網情報が、前記通信網がファーストドーマンシー機能に対応していないことを示す場合は、予め定められた時間経過後に通信チャネルを開放するように開放手順を定める通信装置。
【請求項５】
請求項１〜３のいずれか一項に記載の通信装置において、
前記開放手順設定手段は、
前記通信網情報が、前記通信網がファーストドーマンシー機能に対応していることを示す場合はファーストドーマンシー機能に従って開放手順を定め、
前記通信網情報が、前記通信網がファーストドーマンシー機能に対応していないことを示す場合は、前記通信網からの指示に従って通信チャネルを開放するように開放手順を定める通信装置。
【請求項６】
請求項１〜５のいずれか一項に記載の通信装置において、
前記通信網情報は、前記通信網がファーストドーマンシー機能を有していてかつ対応できる第１の状態、ファーストドーマンシー機能を有していない第２の状態、またはファーストドーマンシー要求に対して応答するが通信チャネルの開放の指令を送信しない第３の状態、のいずれかを示しており、
前記開放手順設定手段は、前記第３の状態の場合、前記第２の状態の場合と同じ開放手順を設定する通信装置。
【請求項７】
通信網と、
前記通信網を介してパケット通信を行う通信装置と、
を備え、
前記通信装置は、
前記通信網がファーストドーマンシー機能に対応しているか否かを示す通信網情報を記憶する通信網情報記憶手段と、
前記通信網を介したパケット通信を終了するとき、前記通信網情報記憶手段から前記通信網情報を読み出し、前記通信網情報に基づいて、パケット通信の開放手順を定める開放手順設定手段と、
前記開放手順設定手段が設定した手順に従って通信チャネルを開放する制御手段と、
を備える通信システム。
【請求項８】
通信装置が、パケット通信を行う通信網がファーストドーマンシー機能に対応しているか否かを示す通信網情報を記憶しておき、
前記通信装置が、前記通信網を介したパケット通信を終了するとき、記憶している前記通信網情報を読み出し、前記通信網情報に基づいて、通信チャネルの開放手順を定め、当該開放手順に従って通信チャネルを開放する、通信方法。
【請求項９】
通信網を介して通信装置にパケット通信を行わせるためのプログラムであって、
前記通信装置に、
前記通信網がファーストドーマンシー機能に対応しているか否かを示す通信網情報を記憶する機能と、
前記通信網を介したパケット通信を終了するとき、記憶している前記通信網情報を読み出し、前記通信網情報に基づいて、通信チャネルの開放手順を定める機能と、
定めた前記開放手順に従って通信チャネルを開放する機能と、
を実現させるプログラム。
【発明の詳細な説明】
【技術分野】
【０００１】
本発明は、ファーストドーマンシー機能に対応した通信装置、通信システム、通信方法、及びプログラムに関する。
【背景技術】
【０００２】
携帯通信端末などの通信装置に求められる特性の一つに、低消費電力がある。低消費電力にするためには、通信装置をスリープモードにすることが好ましい。特許文献１には、端末から基地局へのスリープ要求が拒否されるとスリープ要求を再度送信し、再度スリープ要求が拒否されると、基地局から非要求応答を受信するまでスリープ要求を送信しないようにする、と記載されている。
【先行技術文献】
【特許文献】
【０００３】
【特許文献１】特表２００６−５１５４９１号公報
【発明の概要】
【発明が解決しようとする課題】
【０００４】
近年は、ファーストドーマンシー（Fast Dormancy）と呼ばれる機能がある。この機能を用いると、パケット通信が終了したときに端末主導で通信チャネルを開放することができ、これにより、低消費電力化を実現できる。【０００５】
しかし、本発明者が検討した結果、通信網がファーストドーマンシーに対応していない場合、通信端末がファーストドーマンシーに準じた動作を行っても、通信チャネルが開放されず、その結果、通信端末で電力が浪費される可能性があることが判明した。【０００６】
本発明の目的は、通信網がファーストドーマンシーに対応していない場合においても消費電力を少なくすることができる通信装置、通信システム、通信方法、及びプログラムを提供することにある。
【課題を解決するための手段】
【０００７】
本発明によれば、パケット通信を行う通信網がファーストドーマンシー機能に対応しているか否かを示す通信網情報を記憶する通信網情報記憶手段と、
前記通信網を介したパケット通信を終了するとき、前記通信網情報記憶手段から前記通信網情報を読み出し、前記通信網情報に基づいて、通信チャネルの開放手順を定める開放手順設定手段と、
前記開放手順設定手段が設定した手順に従って通信チャネルを開放する制御手段と、
を備える通信装置が提供される。【０００８】
本発明によれば、通信網と、
前記通信網を介してパケット通信を行う通信装置と、
を備え、
前記通信装置は、
前記通信網がファーストドーマンシー機能に対応しているか否かを示す通信網情報を記憶する通信網情報記憶手段と、
前記通信網を介したパケット通信を終了するとき、前記通信網情報記憶手段から前記通信網情報を読み出し、前記通信網情報に基づいて、パケット通信の開放手順を定める開放手順設定手段と、
前記開放手順設定手段が設定した手順に従って通信チャネルを開放する制御手段と、
を備える通信システムが提供される。【０００９】
本発明によれば、通信装置が、パケット通信を行う通信網がファーストドーマンシー機能に対応しているか否かを示す通信網情報を記憶しておき、
前記通信装置が、前記通信網を介したパケット通信を終了するとき、記憶している前記通信網情報を読み出し、前記通信網情報に基づいて、通信チャネルの開放手順を定め、当該開放手順に従って通信チャネルを開放する、通信方法が提供される。【００１０】
本発明によれば、通信網を介して通信装置にパケット通信を行わせるためのプログラムであって、
前記通信装置に、
前記通信網がファーストドーマンシー機能に対応しているか否かを示す通信網情報を記憶する機能と、
前記通信網を介したパケット通信を終了するとき、記憶している前記通信網情報を読み出し、前記通信網情報に基づいて、通信チャネルの開放手順を定める機能と、
定めた前記開放手順に従って通信チャネルを開放する機能と、
を実現させるプログラムが提供される。
【発明の効果】
【００１１】
本発明によれば、通信網がファーストドーマンシーに対応していない場合においても、通信装置の消費電力を少なくすることができる。
【図面の簡単な説明】
【００１２】
上述した目的、およびその他の目的、特徴および利点は、以下に述べる好適な実施の形態、およびそれに付随する以下の図面によってさらに明らかになる。【００１３】
【図１】実施形態に係る通信システムの機能構成を示す図である。
【図２】情報処理装置の機能構成を示すブロック図である。
【図３】情報処理装置の機能構成を具体的に示すブロック図である。
【図４】通信網情報記憶部が記憶しているデータの一例をテーブル形式で示す図である。
【図５】情報処理装置の第１の動作を示すフローチャートである。
【図６】図５に示した処理が、ファーストドーマンシー機能に対応していない通信網に対して行われた場合を示す図である。
【図７】情報処理装置の第２の動作を示すフローチャートである。
【図８】図７の変形例を示すフローチャートである。
【図９】実施形態の効果を説明するための図である。
【図１０】実施形態の効果を説明するための図である。
【発明を実施するための形態】
【００１４】
以下、本発明の実施の形態について、図面を用いて説明する。尚、すべての図面において、同様な構成要素には同様の符号を付し、適宜説明を省略する。
【００１５】
図１は、実施形態に係る通信システムの機能構成を示す図である。この通信システムは、情報処理装置１００及び通信網２００を備えている。情報処理装置１００は、通信網２００とパケット通信を行う。通信網２００は、例えば情報サーバ２２０を有しており、情報処理装置１００は情報サーバ２２０から情報を受信する。なお、情報サーバ２２０が異なると、情報サーバ２２０から情報処理装置１００に至るまでの経路が異なるため、本実施形態における通信網２００が異なる。
【００１６】
情報処理装置１００は、例えば携帯通信端末（携帯電話、携帯型ゲーム機器、及びタブレット型ＰＣを含む）であるが、ノートパソコンなどのパーソナルコンピュータであっても良い。情報処理装置１００は、通信網２００がファーストドーマンシー（Fast Dormancy）機能に対応しているか否かを示す情報（以下、通信網情報と記載）を予め記憶している。ファーストドーマンシー機能は、例えば３ＧＰＰ  Ｒｅｌｅａｓｅ．８（ＴＳ２５．３３１．８．１．１４）で定められている。そして情報処理装置１００は、情報サーバ２２０の間でのパケット通信を終了するとき、通信網２００の通信網情報を読み出し、読み出した通信網情報に基づいて、通信チャネルの開放手順を定める。そして情報処理装置１００は、定めた開放手順に従って、通信チャネルを開放する。なお、以下に説明する処理は、Ｔ３２３（３ＧＰＰ  Ｒｅｌｅａｓｅ．８）に違反しないように定められる。
【００１７】
図２は、情報処理装置１００の機能構成を示すブロック図である。
【００１８】
図３は、情報処理装置１００の機能構成をさらに詳細に示すブロック図である。情報処理装置１００は、通信網情報記憶部１６０、開放手順設定部１５０、及び制御部１２０を備えている。通信網情報記憶部１６０は、上記した通信網情報を記憶している。開放手順設定部１５０は、通信網２００を介したパケット通信を終了するとき、通信網情報記憶部１６０から通信網情報を読み出し、通信網情報に基づいて、通信チャネルの開放手順を定める。制御部１２０は、開放手順設定部１５０が設定した手順に従って通信チャネルを開放する。これにより、開放手順設定部１５０は、情報サーバ２２０の間でのパケット通信を終了するとき、通信網２００の通信網情報を通信網情報記憶部１６０から読み出し、読み出した通信網情報に基づいて、通信チャネルの開放手順を定めることができる。このため、通信網がファーストドーマンシーに対応している場合といない場合とで、それぞれに応じた手順で通信チャネルを開放することができる。
【００１９】
図３は、情報処理装置１００の機能構成をさらに詳細に示すブロック図である。情報処理装置１００は、さらに、入力部１１０、通信部１３０、表示部１４０、及び通信網情報生成部１７０を備えている。入力部１１０は、情報処理装置１００のユーザが入力した情報を取得して制御部１２０に出力する。入力部１１０は、入力ボタンのほか、タッチパネル機能によって実現されても良い。通信部１３０は、情報処理装置１００が外部と通信を行うためのインターフェースである。例えば情報処理装置１００が無線通信端末である場合、通信部１３０は、アンテナ、受信処理部、及び送信処理部を備えている。表示部１４０は、制御部１２０からの指示に従って情報を表示する。また制御部１２０は、タイマーや時間を計測する機能も有している。
【００２０】
通信網情報生成部１７０は、通信網２００に対してファーストドーマンシーの起動要求を送信し、当該起動要求に対する通信網２００からの応答に基づいて、その通信網２００に対応する通信網情報を生成する。通信網情報生成部１７０もタイマー機能及び時間計測機能を有している。通信網情報生成部１７０の機能の詳細も、フローチャートを用いて後述する。
【００２１】
なお、図３に示した情報処理装置１００の各構成要素は、ハードウエア単位の構成ではなく、機能単位のブロックを示している。情報処理装置１００の各構成要素は、任意のコンピュータのＣＰＵ、メモリ、メモリにロードされた本図の構成要素を実現するプログラム、そのプログラムを格納するハードディスクなどの記憶ユニット、通信網接続用インターフェースを中心にハードウエアとソフトウエアの任意の組合せによって実現される。そして、その実現方法、装置には様々な変形例がある。
【００２２】
図４は、通信網情報記憶部１６０が記憶しているデータの一例をテーブル形式で示す図である。通信網情報記憶部１６０は、通信網識別情報、通信網情報、及び測定時間を、互いに対応付けて記憶している。
【００２３】
通信網識別情報は、通信網２００を相互に識別するための情報であり、例えばネットワークオペレータコード、及び通信網２００から報知される各種の情報（ロケーションエリアコード及びセルＩＤを含む）を有している。これは、通信網の動作は、ネットワークオペレータの違いのみではなく、ネットワーク機器の供給者（ベンダー）や、地域などでも異なってくるためである。
【００２４】
通信網情報は、上記したように、通信網２００がファーストドーマンシー機能に対応しているか否かを示している。本実施形態において、通信網情報は、「対応」、「応答あり」、及び「非対応」に分かれている。「対応」は、通信網２００がファーストドーマンシー機能に対応していることを示しており、「非対応」は、通信網２００がファーストドーマンシー機能に対応していないことを示している。また「応答あり」は、ファーストドーマンシー要求に対して応答するが通信チャネルの開放の指令を送信しないことを示している。また通信網２００は、通信網情報として「応答あり」または「非対応」を記憶している場合、さらにファーストドーマンシー要求に対する応答が無かった回数（応答なしのカウント数）を記憶している。この情報の詳細については、フローチャートを用いて後述する。
【００２５】
測定時間は、その通信網２００において、あるアクションが起こった後、通信網２００から指令（メッセージ）を受信するまでの時間、例えばパケット通信が終了してから通信チャネルが切り変わるまでの時間（実測値）を記憶している。本実施形態では、通信網情報記憶部１６０は、高ビットレートの通信チャネルが維持された時間、高ビットレートから中ビットレートに切り替わった後、低ビットレートに切り替わるまでの時間（すなわち中ビットレートに維持された時間）、及び、低ビットレートに切り替わってから通信チャネルが開放されるまでの時間を、それぞれ記憶している。なお、通信網情報記憶部１６０は、通信チャネルの開放指令を受信するまでに複数の指令を受信した場合、これら複数の指令を、計測時間に対応付けて、受信順に記憶している。
【００２６】
図５は、情報処理装置１００の第１の動作を示すフローチャートである。このフローチャートは、情報処理装置１００の通信網情報生成部１７０が通信網情報を生成するときの処理を示している。この処理は、例えばその通信網２００との間で情報処理装置１００が最初にパケット通信を行うときに、行われる。
【００２７】
まず通信網情報生成部１７０は、タイマー機能を起動する（ステップＳ１０）。そして通信網情報生成部１７０は、通信部１３０を介して、通信網２００に、ファーストドーマンシーの起動要求を送信する（ステップＳ２０）。
【００２８】
通信網情報生成部１７０は、通信網２００から応答があるか否かを判断する（ステップＳ３０）。通信網情報生成部１７０は、通信網２００から応答があった場合（ステップＳ３０：Ｙｅｓ）、その応答が通信チャネルの開放指令であるか否かを判断する（ステップＳ４０）。開放指令であった場合（ステップＳ４０：Ｙｅｓ）、通信網情報生成部１７０は、その通信網２００がファーストドーマンシー機能に対応していると判断し、通信網情報記憶部１６０に、ステップＳ３０で受信した応答に含まれる通信網識別情報とともに、「対応」を記憶させる（ステップＳ５０）。
【００２９】
ステップＳ３０で受信した応答が通信チャネルの開放指令でなかった場合（ステップＳ４０：Ｎｏ）、通信網情報生成部１７０は、通信網情報記憶部１６０に、ステップＳ３０で受信した応答に含まれる通信網識別情報とともに、「応答あり」を記憶させる（ステップＳ６０）。
【００３０】
また通信網情報生成部１７０は、通信網２００から応答がないとき、所定時間が経過するまで、通信網２００からの応答を待つ（ステップＳ３０：ＮｏかつステップＳ７０：Ｎｏ）。そして通信網情報生成部１７０は、通信網２００から応答がないまま所定時間が経過した場合（ステップＳ３０：ＮｏかつステップＳ７０：Ｙｅｓ）、その通信網２００はファーストドーマンシー機能に対応していないと判断し、通信網情報記憶部１６０に、ステップＳ３０で受信した応答に含まれる通信網識別情報とともに、「非対応」を記憶させる（ステップＳ８０）。
【００３１】
その後、通信網情報生成部１７０は、タイマー機能を再起動させ（ステップＳ９０）、通信網２００から指令を受信するか否かを判断する（ステップＳ１００）。この指令は、例えば相対的にビットレートが低い通信チャネルに切り替える旨の指令や、通信チャネルを開放する旨の指令である。通信網２００から指令を受信した場合（ステップＳ１００：Ｙｅｓ）、タイマーを再起動させてから指令を受信するまでに時間を、計測時間として、その指令の内容とともに、通信網情報記憶部１６０に記憶させる（ステップＳ１１０）。通信網情報生成部１７０は、通信チャネルの開放指令を受信するまで、ステップＳ９０からステップＳ１１０までの処理を繰り返す（ステップＳ１２０：Ｎｏ）。そして通信網情報生成部１７０は、通信網２００から通信チャネルの開放指令を受信した場合（ステップＳ１２０：Ｙｅｓ）、処理を終了する。また通信網情報生成部１７０は、タイマーを起動して（ステップＳ９０）からタイムアウトするまで、通信網２００からの指令をまつ（ステップＳ１００：ＮｏかつステップＳ１３０：Ｎｏ）。そして通信網情報生成部１７０は、通信網２００から指令を受信しなかった場合（ステップＳ１００：ＮｏかつステップＳ１３０：Ｙｅｓ）も、通信網情報記憶部１６０における「応答なし」のカウント数を一つ増やした（ステップＳ１４０）上で、処理を終了する。
【００３２】
なお、通信網情報生成部１７０は、ステップＳ１０〜ステップＳ８０までの処理を複数回繰り返して行い、いずれの場合においても「非対応」になった場合にのみ、正式に「非対応」と記憶しても良い。これにより、通信網２００がファーストドーマンシーに対応しているが、通信環境が一時的に劣化した場合などの理由により通信チャネルの開放指令を一時的に受信できなかった場合において、誤って「非対応」と記憶することを抑制できる。
【００３３】
また通信網情報生成部１７０は、受信電界レベルが基準値以上だった場合にのみ、「非対応」とするための処理を行っても良い。
【００３４】
なお、通信網情報生成部１７０は、図５に示した処理を定期的に行い、通信網情報記憶部１６０が記憶している通信網情報を定期的にバージョンアップするのが好ましい。これは、その通信網２００の機能が変更する可能性があるためである。
【００３５】
図６は、図５に示した処理が、ファーストドーマンシー機能に対応していない通信網２００に対して行われた場合を示している。情報処理装置１００と通信網２００の間でパケット通信が行われ（ステップＳ２）、そのパケット通信が終了した場合、情報処理装置１００ではパケット通信の終了判定が行われ（ステップＳ４）、通信網２００では、送信されているパケットが無いとの判定が行われる（ステップＳ６）。
【００３６】
情報処理装置１００の通信網情報生成部１７０は、パケット通信が終了したと判定するとファーストドーマンシーの起動要求を通信網２００に送信する（ステップＳ２０）。しかし、通信網２００はファーストドーマンシーに対応していないため、通信網２００は、情報処理装置１００に対し、通信チャネルの開放指令を直ぐには送信しない。そのうち通信網２００は、情報処理装置１００に、通信チャネルの切替指令を送信する（ステップＳ１００）、この切替指令は、本図に示す例では、２回行われる。そして各切替処理の間の時間が、測定されて通信網情報記憶部１６０に記憶される。そして最後に、通信網２００は、情報処理装置１００に対して通信チャネルの開放指令を送信する（ステップＳ１２０）。その後、情報処理装置１００は低消費電力状態に移行する。
【００３７】
図７は、情報処理装置１００の第２の動作を示すフローチャートである。このフローチャートは、情報処理装置１００の制御部１２０が通信網情報を利用して通信チャネルを開放するときの処理を示している。
【００３８】
まず制御部１２０は、現在パケット通信を行っている通信網２００の通信網識別情報が通信網情報記憶部１６０に記憶されているか否かを判断する。その通信網識別情報が通信網情報記憶部１６０に記憶されていない場合（ステップＳ２１０：Ｎｏ）、制御部１２０は、通信網情報生成部１７０に、図５に示した処理を行わせる。
【００３９】
その通信網２００の通信網情報を記憶していた場合（ステップＳ２１０：Ｙｅｓ）、制御部１２０は、通信網情報記憶部１６０から通信網情報を読み出し、読み出した通信網情報がファーストドーマンシー機能に対応していることを示していた場合（ステップＳ２２０：Ｙｅｓ）、制御部１２０は、通信網２００に対し、ファーストドーマンシー機能に従った処理を行う。具体的には、制御部１２０は、通信網２００に対してファーストドーマンシーの起動要求を送信し（ステップＳ２３０）、その後、通信網２００からの指示に従って動作を行う（ステップＳ２４０）。例えば制御部１２０は、ファーストドーマンシーの起動要求を行った後、直ぐに通信チャネルの開放指令を受信すると、通信チャネルの開放を行い、低消費電力状態に移行する。
【００４０】
なお、制御部１２０は、予め定められた時間以内に通信チャネルの開放指令を受信しない場合（ステップＳ２４２：Ｎｏ）、通信網２００から送信された開放指令を受信できなかったものと判断し、自主的に通信チャネルを開放する（ステップＳ２４４）。制御部１２０は、予め定められた時間以内に通信チャネルの開放指令を受信した場合（ステップＳ２４２：Ｙｅｓ）、開放指令に従って通信チャネルを開放するため、ステップＳ２４４を省略する。
【００４１】
一方、制御部１２０は、読み出した通信網情報がファーストドーマンシー機能に対応していることを示していなかった場合（ステップＳ２２０：Ｎｏ）、以下の手順により、通信チャネルの開放を行う。
【００４２】
まず制御部１２０は、読み出した通信網情報が「応答あり」であった場合（ステップＳ２５０：Ｙｅｓ）、及び、「非対応」であった（ステップＳ２５０：Ｎｏ）が「応答なし」のカウント数が所定値未満であった場合（ステップＳ２６０：Ｙｅｓ）、通信網２００に対し、ファーストドーマンシーの起動要求を送信する（ステップＳ２７０）。なお、制御部１２０は、「非対応」であった（ステップＳ２５０：Ｎｏ）が「応答なし」のカウント数が所定値以上であった場合（ステップＳ２６０：Ｎｏ）、ステップＳ２７０に示した処理を行わない。
【００４３】
次いで制御部１２０は、通信網２００からの指示を受信し、その指示が通信チャネルの開放指令であった場合、通信チャネルを開放して、低消費電力状態に移行する（ステップＳ２８０：Ｙｅｓ）。一方、通信網２００から通信チャネルの開放指令を受信しない場合（ステップＳ２８０：Ｎｏ）、図５のステップＳ１１０で記憶した時間が許容時間以内であるか否かを判断する。この許容時間は、予め定められており、制御部１２０は予め記憶している。許容時間以内である場合（ステップＳ２９０：Ｙｅｓ）、制御部１２０は、通信網２００からの指示に従って通信チャネルの切替及び開放を行う（ステップＳ３００）。一方、図５のステップＳ１１０で記憶した時間が許容時間よりも長かった場合（ステップＳ２９０：Ｎｏ）、制御部１２０は、パケット通信が終了してから許容時間が経過した後、自主的に通信チャネルの切替及び開放を行う（ステップＳ３１０）。これにより、通信チャネルが開放され（ステップＳ２８０）、情報処理装置１００は低消費電力状態に移行する。なお、ステップＳ２９０〜ステップＳ３１０に示した処理は、通信網情報が「応答あり」、「非対応」のいずれの場合でも行われる。
【００４４】
なお、許容時間は、通信チャネルのビットレートが高いほど短くするのが好ましい。これは、通信チャネルのビットレートが高いほど、情報処理装置１００の消費電力が増える傾向にあるためである。
【００４５】
また、図７に示した処理は、情報処理装置１００の電池残量が基準値以下の場合にのみ行っても良い。これは、図７に示した処理が通信網２００に同期外れを生じさせ、通信網２００に負荷をかける可能性があるためである。
【００４６】
また図７に示した処理において、許容時間は、情報処理装置１００で動作しているアプリケーションソフトに応じて変更されても良い。これは、アプリケーションソフトによって、通信量、通信回数、ユーザ操作の有無、及びリアルタイム性の必要性などが変わるためである。
【００４７】
具体的には、バックグラウンドで定期的に起動されるアプリケーション(Keep aliveなど)は、バックグラウンドで定期的にパケット通信を行う。このような処理は、ユーザの認知しないところで情報処理装置１００の消費電力への影響が大きいため、不要な通信チャネルが存在し続けることによる消費電力の浪費をできるだけ防ぐ必要がある。また、リアルタイム性を求められない。従って、このような場合は、許容時間を短くして、早めに通信チャネルを開放する。
【００４８】
一方、プッシュ型のアプリケーション (メール受信など)は、ユーザの操作なしに単発的にパケット通信を行う。これは、バックグラウンドで起動されるアプリケーションよりは情報処理装置１００の消費電力への影響は小さいが、リアルタイム性を求められない。このため、許容時間は短めに設定される。
【００４９】
これらに対し、ユーザーインタラクティブ型のアプリケーション(ブラウザなど)では、ユーザの操作によりインタラクティブなパケット通信を行う。ある程度のリアルタイム性が求められるため、許容時間を長めにして、必要以上に早く通信チャネルを開放しないようにするのが好ましい。
【００５０】
またまた図７に示した処理において、許容時間は、情報処理装置１００の電池残量が少なくなった場合に、その残量に応じて短くしても良い。例えば、情報処理装置１００の電池残量に対して基準値が少なくとも一段階設定しておき、電池残量が基準値を下回るにつれて、許容時間を短くしてもよい。
【００５１】
また、図８に示すように、ステップＳ３１０の代わりにファーストドーマンシーの起動要求を送信してもよい（ステップＳ３１２）。
【００５２】
次に、図９及び図１０を用いて、本実施形態の作用及び効果について説明する。本実施形態では、通信網２００がファーストドーマンシー機能に対応している場合、制御部１２０は、ファーストドーマンシー機能に従って通信チャネルを開放する。
【００５３】
一方、通信網２００がファーストドーマンシー機能に対応していない場合、制御部１２０は、図５のステップＳ１１０で記憶した時間が許容時間以内であるか否かで処理を変える。
【００５４】
具体的には、図５のステップＳ１１０で記憶した時間が許容時間以内である場合、図９に示すように、制御部１２０は、通信網２００からの指示に従って通信チャネルの切替及び開放を行う。
【００５５】
一方、図５のステップＳ１１０で記憶した時間が許容時間よりも長い場合、図１０に示すように、制御部１２０は、許容時間が経過した後、自主的に通信チャネルの切替及び開放を行う。
【００５６】
従って、通信網２００がファーストドーマンシー機能に対応していない場合においても、通信チャネルは、許容時間を経過した場合、必ず開放される。従って、情報処理装置１００が電力を浪費することを抑制できる。
【００５７】
また、情報処理装置１００の制御部１２０は、ファーストドーマンシー機能に対応している通信網２００に対してファーストドーマンシーの起動要求を送信した後、予め定められた時間以内に通信チャネルの開放指令を受信しない場合、通信網２００から送信された開放指令を受信できなかったものと判断し、自主的に通信チャネルを開放する。もし、ここで自主的に通信チャネルを開放しない場合、通信網２００は、情報処理装置１００が通信チャネルを開放したと認識しているのにもかかわらず、情報処理装置１００は通信チャネルを維持していることになる。この場合、情報処理装置１００と通信網２００の間での状態不一致（通信チャネルを開放しているか否か）が発生し、この状態不一致を解消するための処理が必要になる。本実施形態では、この処理が不要になるため、情報処理装置１００及び通信網２００のリソースの消費を削減することができる。
【００５８】
なお本実施形態において、情報処理装置１００の電源を入れるときや、通信圏外からの通信圏内への復帰時に行われるネットワーク選択において通信網情報記憶部１６０が記憶している通信網情報を参照し、ファーストドーマンシーに対応する通信網２００や、パケット通信終了判定からパケット通信チャネルの開放までの時間が短い通信網２００を優先して選択するようにしてもよい。また、ユーザ操作による通信網の検索リスト画面において、上記のような消費電力の観点で優位な通信網２００かどうかをリスト内に表示させてもよい。このようにすると、ユーザが通信網２００を選択することができる。
【００５９】
なお、本発明によれば、以下の発明が開示されている。
【００６０】
（付記１）
パケット通信を行う通信網がファーストドーマンシー機能に対応しているか否かを示す通信網情報を記憶する通信網情報記憶手段と、
前記通信網を介したパケット通信を終了するとき、前記通信網情報記憶手段から前記通信網情報を読み出し、前記通信網情報に基づいて、通信チャネルの開放手順を定める開放手順設定手段と、
前記開放手順設定手段が設定した手順に従って通信チャネルを開放する制御手段と、
を備える通信装置。
（付記２）
付記１に記載の通信装置において、
前記通信網に対してファーストドーマンシーの起動要求を送信し、当該起動要求に対する前記通信網からの応答に基づいて、前記通信網情報を生成する通信網情報生成手段を備える通信装置。
（付記３）
付記２に記載の通信装置において、
前記通信網情報生成手段は、前記起動要求を複数回送信し、そのいずれの場合においても前記起動要求に対する応答が前記通信網から無かった場合に、前記通信網がファーストドーマンシー機能に対応していないと判断する通信装置。
（付記４）
付記１〜３のいずれか一項に記載の通信装置において、
前記開放手順設定手段は、
前記通信網情報が、前記通信網がファーストドーマンシー機能に対応していることを示す場合はファーストドーマンシー機能に従って開放手順を定め、
前記通信網情報が、前記通信網がファーストドーマンシー機能に対応していないことを示す場合は、予め定められた時間経過後に通信チャネルを開放するように開放手順を定める通信装置。
（付記５）
付記１〜３のいずれか一項に記載の通信装置において、
前記開放手順設定手段は、
前記通信網情報が、前記通信網がファーストドーマンシー機能に対応していることを示す場合はファーストドーマンシー機能に従って開放手順を定め、
前記通信網情報が、前記通信網がファーストドーマンシー機能に対応していないことを示す場合は、前記通信網からの指示に従って通信チャネルを開放するように開放手順を定める通信装置。
（付記６）
付記１〜５のいずれか一項に記載の通信装置において、
前記通信網情報は、前記通信網がファーストドーマンシー機能を有していてかつ対応できる第１の状態、ファーストドーマンシー機能を有していない第２の状態、またはファーストドーマンシー要求に対して応答はあるが通信チャネルの開放の指令を送信しない第３の状態、のいずれかを示しており、
前記開放手順設定手段は、前記第３の状態の場合、前記第２の状態の場合と同じ開放手順を設定する通信装置。
（付記７）
付記１〜６のいずれか一項に記載の通信装置において、
前記通信網情報は、前記通信網にファーストドーマンシーの起動要求を送信してから開放指令を受信するまでの実測時間である測定時間を含んでいる通信装置。
（付記８）
付記７に記載の通信装置において
前記開放設定手順設定手段は、
前記測定時間が予め定められた時間より短い場合、前記通信網からの指示に従って通信チャネルを開放するように開放手順を定め、
前記測定時間が予め定められた時間より長い場合、前記予め定められた時間経過後に通信チャネルを開放するように開放手順を定める通信装置。
（付記９）
付記８に記載の通信装置において、
前記通信装置は電池を有しており、
前記開放手順設定手段は、前記通信装置の電池の残量に基づいて、前記予め定められた時間を設定する通信装置。
（付記１０）
付記８に記載の通信装置において、
前記開放手順設定手段は、前記通信網との間の通信のビットレートに基づいて、前記予め定められた時間を設定する通信装置。
（付記１１）
付記７〜１０のいずれか一項に記載の通信装置において、
前記制御手段は、電源を入れるとき、または通信圏外からの通信圏内への復帰時に行われるネットワーク選択において、前記通信情報に基づいて、ファーストドーマンシーに対応する前記通信網、または前記測定時間が短い前記通信網を選択する通信装置。
（付記１２）
通信網と、
前記通信網を介してパケット通信を行う通信装置と、
を備える通信システムであって、
前記通信装置は、
前記通信網がファーストドーマンシー機能に対応しているか否かを示す通信網情報を記憶する通信網情報記憶手段と、
前記通信網を介したパケット通信を終了するとき、前記通信網情報記憶手段から前記通信網情報を読み出し、前記通信網情報に基づいて、パケット通信の開放手順を定める開放手順設定手段と、
前記開放手順設定手段が設定した手順に従って通信チャネルを開放する制御手段と、
を備える通信システム。
【００６１】
（付記１３）
付記１２に記載の通信システムにおいて、
前記通信網に対してファーストドーマンシーの起動要求を送信し、当該起動要求に対する前記通信網からの応答に基づいて、前記通信網情報を生成する通信網情報生成手段を備える通信システム。
【００６２】
（付記１４）
付記１３に記載の通信システムにおいて、
前記通信網情報生成手段は、前記起動要求を複数回送信し、そのいずれの場合においても前記起動要求に対する応答が前記通信網から無かった場合に、前記通信網がファーストドーマンシー機能に対応していないと判断する通信システム。
【００６３】
（付記１５）
付記１２〜１４に記載の通信システムにおいて、
前記開放手順設定手段は、
前記通信網情報が、前記通信網がファーストドーマンシー機能に対応していることを示す場合はファーストドーマンシー機能に従って開放手順を定め、
前記通信網情報が、前記通信網がファーストドーマンシー機能に対応していないことを示す場合は、予め定められた時間経過後に通信チャネルを開放するように開放手順を定める通信システム。
【００６４】
（付記１６）
付記１２〜１４のいずれか一つに記載の通信システムにおいて、
前記開放手順設定手段は、
前記通信網情報が、前記通信網がファーストドーマンシー機能に対応していることを示す場合はファーストドーマンシー機能に従って開放手順を定め、
前記通信網情報が、前記通信網がファーストドーマンシー機能に対応していないことを示す場合は、前記通信網からの指示に従って通信チャネルを開放するように開放手順を定める通信システム。
【００６５】
（付記１７）
付記１２〜１６のいずれか一つに記載の通信システムにおいて、
前記通信網情報は、前記通信網がファーストドーマンシー機能を有していてかつ対応できる第１の状態、ファーストドーマンシー機能を有していない第２の状態、またはファーストドーマンシー要求に対して応答するが通信チャネルの開放の指令を送信しない第３の状態、のいずれかを示しており、
前記開放手順設定手段は、前記第３の状態の場合、前記第２の状態の場合と同じ開放手順を設定する通信システム。
（付記１８）
付記１２〜１７のいずれか一項に記載の通信システムにおいて、
前記通信網情報は、前記通信網にファーストドーマンシーの起動要求を送信してから開放指令を受信するまでの実測時間である測定時間を含んでいる通信システム。
（付記１９）
付記１８に記載の通信システムにおいて
前記開放設定手順設定手段は、
前記測定時間が予め定められた時間より短い場合、前記通信網からの指示に従って通信チャネルを開放するように開放手順を定め、
前記測定時間が予め定められた時間より長い場合、前記予め定められた時間経過後に通信チャネルを開放するように開放手順を定める通信システム。
（付記２０）
付記１９に記載の通信システムにおいて、
前記通信装置は電池を有しており、
前記開放手順設定手段は、前記通信装置の電池の残量に基づいて、前記予め定められた時間を設定する通信システム。
（付記２１）
付記１９に記載の通信システムにおいて、
前記開放手順設定手段は、前記通信網との間の通信のビットレートに基づいて、前記予め定められた時間を設定する通信装置。
（付記２２）
付記１８〜２１のいずれか一項に記載の通信システムにおいて、
前記制御手段は、電源を入れるとき、または通信圏外からの通信圏内への復帰時に行われるネットワーク選択において、前記通信情報に基づいて、ファーストドーマンシーに対応する前記通信網、または前記測定時間が短い前記通信網を選択する通信装置。
【００６６】
（付記２３）
通信装置が通信網を介してパケット通信を行う通信方法であって、
前記通信装置が、前記通信網がファーストドーマンシー機能に対応しているか否かを示す通信網情報を記憶しておき、
前記通信装置が、前記通信網を介したパケット通信を終了するとき、記憶している前記通信網情報を読み出し、前記通信網情報に基づいて、通信チャネルの開放手順を定め、当該開放手順に従って通信チャネルを開放する、通信方法。
【００６７】
（付記２４）
付記２３に記載の通信方法において、
前記通信装置が、前記通信網に対してファーストドーマンシーの起動要求を送信し、当該起動要求に対する前記通信網からの応答に基づいて、前記通信網情報を生成する通信方法。
【００６８】
（付記２５）
付記２４に記載の通信方法において、
前記通信装置が、前記起動要求を複数回送信し、そのいずれの場合においても前記起動要求に対する応答が前記通信網から無かった場合に、前記通信網がファーストドーマンシー機能に対応していないと判断する通信方法。
【００６９】
（付記２６）
付記２３〜２５のいずれか一つに記載の通信方法において、
前記通信装置が、
前記通信網情報が、前記通信網がファーストドーマンシー機能に対応していることを示す場合はファーストドーマンシー機能に従って開放手順を定め、
前記通信網情報が、前記通信網がファーストドーマンシー機能に対応していないことを示す場合は、予め定められた時間経過後に通信チャネルを開放するように開放手順を定める通信装置。
【００７０】
（付記２７）
付記２３〜２５のいずれか一つに記載の通信方法において、
前記通信装置が、
前記通信網情報が、前記通信網がファーストドーマンシー機能に対応していることを示す場合はファーストドーマンシー機能に従って開放手順を定め、
前記通信網情報が、前記通信網がファーストドーマンシー機能に対応していないことを示す場合は、前記通信網からの指示に従って通信チャネルを開放するように開放手順を定める通信方法。
（付記２８）
付記２３〜２７のいずれか一項に記載の通信方法において、
前記通信網情報は、前記通信網にファーストドーマンシーの起動要求を送信してから開放指令を受信するまでの実測時間である測定時間を含んでいる通信方法。
（付記２９）
付記２８に記載の通信方法において
前記通信装置は、
前記測定時間が予め定められた時間より短い場合、前記通信網からの指示に従って通信チャネルを開放するように開放手順を定め、
前記測定時間が予め定められた時間より長い場合、前記予め定められた時間経過後に通信チャネルを開放するように開放手順を定める通信方法。
（付記３０）
付記２９に記載の通信方法において、
前記通信装置は電池を有しており、かつ前記通信装置の電池の残量に基づいて、前記予め定められた時間を設定する通信方法。
（付記３１）
付記２９に記載の通信方法において、
前記通信装置は、前記通信網との間の通信のビットレートに基づいて、前記予め定められた時間を設定する通信方法。
（付記３２）
付記２８〜３１のいずれか一項に記載の通信方法において、
前記通信装置は、電源を入れるとき、または通信圏外からの通信圏内への復帰時に行われるネットワーク選択において、前記通信情報に基づいて、ファーストドーマンシーに対応する前記通信網、または前記測定時間が短い前記通信網を選択する通信方法。
【００７１】
（付記３３）
付記２３〜３２のいずれか一つに記載の通信方法において、
前記通信網情報は、前記通信網がファーストドーマンシー機能を有していてかつ対応できる第１の状態、ファーストドーマンシー機能を有していない第２の状態、またはファーストドーマンシー要求に対して応答するが通信チャネルの開放の指令を送信しない第３の状態、のいずれかを示しており、
前記通信網情報が前記第３の状態の場合、前記通信装置は、前記第２の状態の場合と同じ開放手順を設定する通信方法。
【００７２】
（付記３４）
通信網を介して通信装置にパケット通信を行わせるためのプログラムであって、
前記通信装置に、
前記通信網がファーストドーマンシー機能に対応しているか否かを示す通信網情報を記憶する機能と、
前記通信網を介したパケット通信を終了するとき、記憶している前記通信網情報を読み出し、前記通信網情報に基づいて、通信チャネルの開放手順を定める機能と、
定めた前記開放手順に従って通信チャネルを開放する機能と、
を実現させるプログラム。
【００７３】
（付記３５）
付記３４に記載のプログラムにおいて、
前記通信装置に、前記通信網に対してファーストドーマンシーの起動要求を送信し、当該起動要求に対する前記通信網からの応答に基づいて、前記通信網情報を生成する機能をさらに実現させるプログラム。
【００７４】
（付記３６）
付記３５に記載のプログラムにおいて、
前記通信網情報を生成する機能は、前記起動要求を複数回送信し、そのいずれの場合においても前記起動要求に対する応答が前記通信網から無かった場合に、前記通信網がファーストドーマンシー機能に対応していないと判断するプログラム。
【００７５】
（付記３７）
付記３４〜３６のいずれか一項に記載のプログラムにおいて、
前記開放手順を定める機能は、
前記通信網情報が、前記通信網がファーストドーマンシー機能に対応していることを示す場合はファーストドーマンシー機能に従って開放手順を定め、
前記通信網情報が、前記通信網がファーストドーマンシー機能に対応していないことを示す場合は、予め定められた時間経過後に通信チャネルを開放するように開放手順を定めるプログラム。
【００７６】
（付記３８）
付記３４〜３６のいずれか一項に記載のプログラムにおいて、
前記開放手順を定める機能は、
前記通信網情報が、前記通信網がファーストドーマンシー機能に対応していることを示す場合はファーストドーマンシー機能に従って開放手順を定め、
前記通信網情報が、前記通信網がファーストドーマンシー機能に対応していないことを示す場合は、前記通信網からの指示に従って通信チャネルを開放するように開放手順を定めるプログラム。
（付記３９）
付記３４〜３８のいずれか一項に記載のプログラムにおいて、
前記通信網情報は、前記通信網にファーストドーマンシーの起動要求を送信してから開放指令を受信するまでの実測時間である測定時間を含んでいるプログラム。
（付記４０）
付記３９に記載のプログラムにおいて
前記開放手順を定める機能は、
前記測定時間が予め定められた時間より短い場合、前記通信網からの指示に従って通信チャネルを開放するように開放手順を定め、
前記測定時間が予め定められた時間より長い場合、前記予め定められた時間経過後に通信チャネルを開放するように開放手順を定めるプログラム。
（付記４１）
付記４０に記載のプログラムにおいて、
前記通信装置は電池を有しており、
前記開放手順を定める機能は、前記通信装置の電池の残量に基づいて、前記予め定められた時間を設定するプログラム。
（付記４２）
付記４０に記載のプログラムにおいて、
前記通信装置は、前記通信網との間の通信のビットレートに基づいて、前記予め定められた時間を設定するプログラム。
（付記４３）
付記３９〜４２のいずれか一項に記載のプログラムにおいて、
電源を入れるとき、または通信圏外からの通信圏内への復帰時に行われるネットワーク選択において、前記通信情報に基づいて、ファーストドーマンシーに対応する前記通信網、または前記測定時間が短い前記通信網を選択する機能をさらに実現させるプログラム。
【００７７】
以上、図面を参照して本発明の実施形態について述べたが、これらは本発明の例示であり、上記以外の様々な構成を採用することもできる。
【００７８】
この出願は、２０１１年３月２９日に出願された日本出願特願２０１１−０７２６６７号を基礎とする優先権を主張し、その開示の全てをここに取り込む。
【図１】
2012132165.tif 000003
【図２】
2012132165.tif 000004
【図３】
2012132165.tif 000005
【図４】
2012132165.tif 000006
【図５】
2012132165.tif 000007
【図６】
2012132165.tif 000008
【図７】
2012132165.tif 000009
【図８】
2012132165.tif 000010
【図９】
2012132165.tif 000011
【図１０】
2012132165.tif 000012
【国際調査報告】
2012132165.tif 000013
2012132165.tif 000014